【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
第１の色空間を均等色知覚空間へ変換するための変換テーブルと、
シアン、マゼンタ、イエローで構成される３次元色空間で表現される複数種類の混色のチャートデータを用いてチャートをプリンタに出力させる手段と、
前記出力されたチャートを前記第１の色空間で測色した値を取得する手段と、
３次元色空間から均等色知覚空間に変換するための第１の色変換テーブルを取得する手段と、
前記取得された第１の色空間の測色値を、前記変換テーブルにより前記均等色知覚空間の色へ変換する変換手段と、
予め作成された均等色知覚空間の目標値を取得する手段と、
前記取得した均等色知覚空間の測色値と前記取得した均等色知覚空間の目標値との差分を用いて、均等色知覚空間から３次元色空間に変換するための第２の色変換テーブルを用いて前記第２の色変換テーブルを補正する手段と、
前記第１の色変換テーブルと前記補正した第２の色変換テーブルを用いて、シアン、マゼンタ、イエロー、ブラックで構成される４次元色空間を補正する色変換テーブルを作成する作成手段と、を有することを特徴とする画像処理装置。
【請求項２】
前記第１の色変換テーブルは、３次元色空間からデバイス非依存色空間に変換するための色変換テーブルにおけるデバイス非依存色空間の値を、均等色知覚空間に値に変換することで得られることを特徴とする請求項１に記載の画像処理装置。
【請求項３】
前記第２の色変換テーブルは、デバイス非依存色空間から３次元色空間に変換するための色変換テーブルにおけるデバイス非依存色空間の値を、均等色知覚空間の値に変換することで得られることを特徴とする請求項１に記載の画像処理装置。
【請求項４】
前記作成手段により作成される４次元色空間を補正する色変換テーブルを、前記均等色知覚空間の色を用いて作成するか否かを指示する指示手段を有し、
前記指示手段により４次元色空間を補正する色変換テーブルを、前記均等色知覚空間の色を用いて作成するよう指示された場合、前記作成手段は、前記均等色知覚空間に変換された測色値と前記第１の色変換テーブルと前記補正した第２の色変換テーブルを用いて、４次元色空間を補正する色変換テーブルを作成し、
前記指示手段により４次元色空間を補正する色変換テーブルを、前記第１の色空間の色を用いて作成するよう指示された場合、
前記第１の色空間の測色値と３次元色空間からデバイス非依存色空間に変換するための色変換テーブルとデバイス非依存色空間から３次元色空間に変換するための色変換テーブルとを用いて、４次元色空間を補正する色変換テーブルを作成することを特徴とする請求項１記載の画像処理装置。
【請求項５】
前記作成手段は、前記均等色知覚空間に変換された測色値と前記第１の色変換テーブルと前記補正した第２の色変換テーブルを用いて取得される第１の補正係数と、
前記第１の色空間の測色値と３次元色空間からデバイス非依存色空間に変換するための色変換テーブルとデバイス非依存色空間から３次元色空間に変換するための色変換テーブルとを用いて取得される第２の補正係数とを合成した値を用いて、
前記４次元色空間を補正する色変換テーブルを作成することを特徴とする請求項１記載の画像処理装置。
【請求項６】
前記作成手段により前記第１の補正係数と前記第２の補正係数を合成した値を用いて前記４次元色空間を補正する色変換テーブルを作成する場合、指示された重みに応じて前記第１の補正係数と前記第２の補正係数の合成方法を決定することを特徴とする請求項５記載の画像処理装置。
【請求項７】
第１の色空間を均等色知覚空間へ変換するための変換テーブルと、
シアン、マゼンタ、イエローで構成される３次元色空間で表現される複数種類の混色のチャートデータを用いてチャートをプリンタに出力させるステップと、
前記出力されたチャートを前記第１の色空間で測色した値を取得するステップと、
３次元色空間から均等色知覚空間に変換するための第１の色変換テーブルを取得するステップと、
前記取得された第１の色空間の測色値を、前記変換テーブルにより前記均等色知覚空間の色へ変換する変換ステップと、
予め作成された均等色知覚空間の目標値を取得するステップと、
前記取得した均等色知覚空間の測色値と前記取得した均等色知覚空間の目標値との差分を用いて、均等色知覚空間から３次元色空間に変換するための第２の色変換テーブルを用いて前記第２の色変換テーブルを補正するステップと、
前記第１の色変換テーブルと前記補正した第２の色変換テーブルを用いて、シアン、マゼンタ、イエロー、ブラックで構成される４次元色空間を補正する色変換テーブルを作成する作成ステップと、を有することを特徴とする画像処理方法。
【請求項８】
前記第１の色変換テーブルは、３次元色空間からデバイス非依存色空間に変換するための色変換テーブルにおけるデバイス非依存色空間の値を、均等色知覚空間に値に変換することで得られることを特徴とする請求項７に記載の画像処理方法。
【請求項９】
前記第２の色変換テーブルは、デバイス非依存色空間から３次元色空間に変換するための色変換テーブルにおけるデバイス非依存色空間の値を、均等色知覚空間の値に変換することで得られることを特徴とする請求項７に記載の画像処理方法。
【請求項１０】
前記作成ステップにて作成される４次元色空間を補正する色変換テーブルを、前記均等色知覚空間の色を用いて作成するか否かを指示する指示ステップを有し、
前記指示ステップにて４次元色空間を補正する色変換テーブルを、前記均等色知覚空間の色を用いて作成するよう指示された場合、
前記作成ステップでは、前記均等色知覚空間に変換された測色値と前記第１の色変換テーブルと前記補正した第２の色変換テーブルを用いて、４次元色空間を補正する色変換テーブルを作成し、
前記指示ステップにて４次元色空間を補正する色変換テーブルを、前記第１の色空間の色を用いて作成するよう指示された場合、
前記第１の色空間の測色値と３次元色空間からデバイス非依存色空間に変換するための色変換テーブルとデバイス非依存色空間から３次元色空間に変換するための色変換テーブルとを用いて、４次元色空間を補正する色変換テーブルを作成することを特徴とする請求項７記載の画像処理方法。
【請求項１１】
前記作成ステップでは、前記均等色知覚空間に変換された測色値と前記第１の色変換テーブルと前記補正した第２の色変換テーブルを用いて取得される第１の補正係数と、
前記第１の色空間の測色値と３次元色空間からデバイス非依存色空間に変換するための色変換テーブルとデバイス非依存色空間から３次元色空間に変換するための色変換テーブルとを用いて取得される第２の補正係数とを合成した値を用いて、
前記４次元色空間を補正する色変換テーブルを作成することを特徴とする請求項７記載の画像処理方法。
【請求項１２】
前記作成ステップでは、前記第１の補正係数と前記第２の補正係数を合成した値を用いて前記４次元色空間を補正する色変換テーブルを作成する場合、指示された重みに応じて前記第１の補正係数と前記第２の補正係数の合成方法を決定することを特徴とする請求項１１記載の画像処理方法。
【請求項１３】
コンピュータに請求項７乃至１２に記載の方法を実行させるためのプログラム。
【手続補正２】
【補正対象書類名】明細書
【補正対象項目名】００１１
【補正方法】変更
【補正の内容】
【００１１】
上述した課題を解決するために、本発明の画像処理装置は、第１の色空間を均等色知覚空間へ変換するための変換テーブルと、
シアン、マゼンタ、イエローで構成される３次元色空間で表現される複数種類の混色のチャートデータを用いてチャートをプリンタに出力させる手段と、
前記出力されたチャートを前記第１の色空間で測色した値を取得する手段と、
３次元色空間から均等色知覚空間に変換するための第１の色変換テーブルを取得する手段と、
前記取得された第１の色空間の測色値を、前記変換テーブルにより前記均等色知覚空間の色へ変換する変換手段と、
予め作成された均等色知覚空間の目標値を取得する手段と、
前記取得した均等色知覚空間の測色値と前記取得した均等色知覚空間の目標値との差分を用いて、均等色知覚空間から３次元色空間に変換するための第２の色変換テーブルを用いて前記第２の色変換テーブルを補正する手段と、
前記第１の色変換テーブルと前記補正した第２の色変換テーブルを用いて、シアン、マゼンタ、イエロー、ブラックで構成される４次元色空間を補正する色変換テーブルを作成する作成手段と、を有することを特徴とする。